(57)【特許請求の範囲】
【請求項１】
親機光源と、
前記親機光源に接続され、制御情報に基づいて前記親機光源を制御する親機光源制御手段と、
前記親機光源制御手段に接続され、親機アドレスが設定され、前記親機光源制御手段から前記制御情報を受信すると前記制御情報及び前記親機アドレスを無線通信によって送信する親機通信手段と、
子機光源と、
前記子機光源に接続された子機光源制御手段と、
前記子機光源制御手段に接続され、子機アドレスが設定され、前記親機通信手段から前記制御情報及び前記親機アドレスを受信すると、前記親機アドレスが前記子機アドレスに一致すれば前記制御情報を前記子機光源制御手段に送信する子機通信手段と、
を備え、
前記子機光源制御手段は、前記子機通信手段から前記制御情報を受信すると、前記制御情報に基づいて前記子機光源を制御し、
前記親機通信手段は、アドレス変更信号を受信すると、新規アドレスを生成し、前記親機アドレス及び前記新規アドレスを無線通信によって送信し、前記親機アドレスを前記新規アドレスに変更し、
前記子機通信手段は、前記親機通信手段から前記親機アドレス及び前記新規アドレスを受信すると、前記親機アドレスが前記子機アドレスに一致すれば前記子機アドレスを前記新規アドレスに変更する照明器具。
【請求項２】
製品出荷時に同一の初期アドレスが、前記親機アドレス及び前記子機アドレスとして設定される請求項１に記載の照明器具。
【請求項３】
前記親機通信手段は、前記アドレス変更信号を受信すると、前記初期アドレスと異なるアドレスを前記新規アドレスとして生成する請求項２に記載の照明器具。
【請求項４】
前記アドレス変更信号は、前記親機光源、前記親機光源制御手段、前記親機通信手段、前記子機光源、前記子機光源制御手段および前記子機通信手段の設置完了後に前記親機通信手段が前記親機光源制御手段から初めて受信する情報である請求項２または請求項３に記載の照明器具。
【請求項５】
前記子機通信手段は、前記親機通信手段から前記親機アドレス及び前記新規アドレスを受信すると、前記親機アドレスが前記子機アドレスに一致してかつ前記子機光源が点灯している場合に、前記子機アドレスを前記新規アドレスに変更する請求項２から請求項４の何れか１項に記載の照明器具。
【請求項６】
前記子機通信手段は、前記子機アドレスを前記新規アドレスに変更すると、アドレス変更通知を無線通信によって前記親機通信手段へ送信し、
前記親機通信手段は、前記親機アドレス及び前記新規アドレスを無線通信によって送信した後、前記アドレス変更通知を受信した場合のみ前記親機アドレスを前記新規アドレスに変更する請求項１から請求項５の何れか１項に記載の照明器具。
【請求項７】
前記子機通信手段は、前記子機アドレスを前記新規アドレスに変更すると、前記子機光源制御手段に子機光源明滅指示を送信し、
前記子機光源制御手段は、前記子機光源明滅指示を受信すると、前記子機光源を明滅させる請求項１から請求項６の何れか１項に記載の照明器具。
【請求項８】
前記親機通信手段は、前記親機アドレスを前記新規アドレスに変更すると、前記親機光源制御手段に親機光源明滅指示を送信し、
前記親機光源制御手段は、前記親機光源明滅指示を受信すると、前記親機光源を明滅させる請求項１から請求項７の何れか１項に記載の照明器具。
【請求項９】
前記親機光源制御手段は、前記制御情報を生成するための装置を備える請求項１から請求項８の何れか１項に記載の照明器具。
【請求項１０】
前記装置は人感センサである請求項９に記載の照明器具。
【請求項１１】
前記親機光源は、ＬＥＤあるいは有機ＥＬを少なくとも１つ有し、
前記子機光源は、ＬＥＤあるいは有機ＥＬを少なくとも１つ有する請求項１から請求項１０の何れか１項に記載の照明器具。
【請求項１２】
第２親機光源と、
前記第２親機光源に接続され、第２制御情報に基づいて前記第２親機光源を制御する第２親機光源制御手段と、
前記第２親機光源制御手段に接続され、第２親機アドレスが設定され、前記第２親機光源制御手段から前記第２制御情報を受信すると、前記第２制御情報及び前記第２親機アドレスを無線通信によって送信する第２親機通信手段と、
を備え、
前記第２親機通信手段は、アドレス変更信号を受信すると、前記親機通信手段から前記親機アドレスを無線通信によって受信し、前記親機アドレスと異なるアドレスを第２新規アドレスとして生成し、前記第２親機アドレス及び前記第２新規アドレスを無線通信によって送信し、前記第２親機アドレスを前記第２新規アドレスに変更し、
前記子機通信手段は、前記第２親機通信手段から前記第２親機アドレス及び前記第２新規アドレスを受信すると、前記第２親機アドレスが前記子機アドレスに一致すれば前記子機アドレスを前記第２新規アドレスに変更する請求項１から請求項１１の何れか１項に記載の照明器具。
【発明の詳細な説明】
【技術分野】
【０００１】
本発明は、照明器具に関する。
【背景技術】
【０００２】
照明器具として、親機及び子機を備えるものがある。親機と子機とは、同様の点灯動作をするように制御される。親機と子機とは、例えば無線通信を行う。特許文献１には、他の機器と無線通信を行う照明器具の例が記載されている。
【先行技術文献】
【特許文献】
【０００３】
【特許文献１】特開２０１３―２３５８３７号公報
【発明の概要】
【発明が解決しようとする課題】
【０００４】
無線通信を行う親機及び子機を備える照明器具には、適切なアドレスの設定が必要である。アドレスの設定は、設置環境等に応じて変更される必要がある。適切なアドレスの設定が行われない場合には、例えば周辺機器とのアドレスの競合等が発生するおそれがある。従来、無線通信を行う照明器具のアドレスの設定は、ソフトウェア及びパーソナルコンピュータ等の知識を十分に有する者が行わなければならなかった。照明器具の使用者あるいは設置者は、ソフトウェア及びパーソナルコンピュータ等の知識を十分に有していない場合、適切にアドレスの設定を行うことが困難である。
【０００５】
本発明は、上記のような課題を解決するためになされた。本発明の目的は、アドレスの設定を容易に行うことができる照明器具を提供することである。
【課題を解決するための手段】
【０００６】
本発明に係る照明器具は、親機光源と、親機光源に接続された親機光源制御手段と、親機光源制御手段に接続された親機通信手段と、子機光源と、子機光源に接続された子機光源制御手段と、子機光源制御手段に接続された子機通信手段とを備える。親機光源制御手段は、制御情報に基づいて親機光源を制御する。親機通信手段は、親機アドレスが設定され、親機光源制御手段から制御情報を受信すると制御情報及び親機アドレスを無線通信によって送信する。子機通信手段は、子機アドレスが設定され、親機通信手段から制御情報及び親機アドレスを受信すると、親機アドレスが子機アドレスに一致すれば制御情報を子機光源制御手段に送信する。子機光源制御手段は、子機通信手段から制御情報を受信すると、制御情報に基づいて子機光源を制御する。親機通信手段は、アドレス変更信号を受信すると、新規アドレスを生成し、親機アドレス及び新規アドレスを無線通信によって送信し、親機アドレスを新規アドレスに変更する。また子機通信手段は、親機通信手段から親機アドレス及び新規アドレスを受信すると、親機アドレスが子機アドレスに一致すれば子機アドレスを新規アドレスに変更する。
【発明の効果】
【０００７】
本発明に係る照明器具は、親機通信手段及び子機通信手段を備える。親機通信手段は、アドレス変更信号を受信すると、新規アドレスを生成し、親機アドレス及び新規アドレスを無線通信によって送信し、親機アドレスを新規アドレスに変更する。子機通信手段は、親機通信手段から親機アドレス及び新規アドレスを受信すると、親機アドレスが子機アドレスに一致すれば子機アドレスを新規アドレスに変更する。このため、本発明であれば、アドレスの設定を容易に行うことができる。
【図面の簡単な説明】
【０００８】
【図１】本発明の実施の形態１の照明器具を示す斜視図である。
【図２】本発明の実施の形態１の照明器具の内部構成を示す模式図である。
【図３】照明制御を行う際の親機の動作を示すフローチャートである。
【図４】照明制御を行う際の子機の動作を示すフローチャートである。
【図５】本発明の実施の形態１においてアドレスの設定を変更する際の親機の動作を示すフローチャートである。
【図６】本発明の実施の形態１においてアドレスの設定を変更する際の子機の動作を示すフローチャートである。
【図７】本発明の実施の形態３の照明器具を示す斜視図である。
【図８】本発明の実施の形態３の照明器具の内部構成を示す模式図である。
【図９】本発明の実施の形態３において第２グループのアドレスの設定を変更する際の第２親機の動作を示すフローチャートである。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態１の照明器具を示す斜視図である。また図２は、本発明の実施の形態１の照明器具の内部構成を示す模式図である。本実施の形態の照明器具は、親機１０１及び子機１１１を備える。
【００１１】
親機１０１は、親機ＬＥＤモジュール１０２を備える。親機ＬＥＤモジュール１０２は、親機光源の一例である。親機ＬＥＤモジュール１０２は、少なくとも１つのＬＥＤを有する。また親機１０１は、親機点灯回路１０３を備える。親機点灯回路１０３は、親機ＬＥＤモジュール１０２と電気的に接続される。親機点灯回路１０３は、親機ＬＥＤモジュール１０２の点灯状態を制御する。
【００１２】
また親機１０１は、例えば親機制御ユニット１０４を備える。親機制御ユニット１０４は、アダプタモジュール１０５及び親機通信モジュール１０６を有する。アダプタモジュール１０５と親機通信モジュール１０６とは、電気的に接続される。アダプタモジュール１０５と親機通信モジュール１０６とは、相互通信を行う。
【００１３】
図２に示すように、アダプタモジュール１０５は、親機点灯回路１０３と電気的に接続される。本実施例における親機点灯回路１０３及びアダプタモジュール１０５は、親機光源制御手段の一例である。
【００１４】
アダプタモジュール１０５は、例えば図示しない外部の装置と電気的に接続される。外部の装置は、アダプタモジュール１０５へ制御情報を送信する装置である。アダプタモジュール１０５へ制御情報を送信する装置は、例えば人感センサ３００である。人感センサ３００は、制御情報の一例として、調光指令値情報をアダプタモジュール１０５に送信する。調光指令値上方には、一例として調光率などが含まれる。
【００１５】
人感センサ３００は、例えば検知した人の数に基づいた調光指令値情報を送信する。人感センサ３００は、検知した人の数が多い場合には、照度が高くなるように調光指令値情報を送信する。人感センサ３００は、例えば検知した人の数が規定数以上の場合には、全光調光率で制御をするように調光指令値情報を送信する。また人感センサ３００は、検知した人の数が少ない場合には、照度を少し落とすように調光指令値情報を送信する。
【００１６】
親機通信モジュール１０６は、親機通信手段の一例である。親機通信モジュール１０６には、親機アドレスが設定される。親機通信モジュール１０６は、親機１０１の外部の装置と無線通信を行うことができる。親機通信モジュール１０６は、無線通信によって、親機アドレスを外部へ送信する。また親機通信モジュール１０６は、例えば図示しない外部のリモートコントローラからアドレス変更信号を受信する。
【００１７】
子機１１１は、子機ＬＥＤモジュール１１２を備える。子機ＬＥＤモジュール１１２は、子機光源の一例である。子機ＬＥＤモジュール１１２は、少なくとも１つのＬＥＤを有する。
【００１８】
また子機１１１は、子機点灯回路１１３を備える。子機点灯回路１１３は、子機光源制御手段の一例である。子機点灯回路１１３は、子機ＬＥＤモジュール１１２と電気的に接続される。子機点灯回路１１３は、子機ＬＥＤモジュール１１２の点灯状態を制御する。
【００１９】
また子機１１１は、子機通信モジュール１１６を備える。子機通信モジュール１１６は、子機通信手段の一例である。子機通信モジュール１１６は、子機点灯回路１１３と電気的に接続される。
【００２０】
子機通信モジュール１１６には、子機アドレスが設定される。子機通信モジュール１１６は、子機１１１の外部の装置と無線通信を行うことができる。親機通信モジュール１０６と子機通信モジュール１１６とは、無線通信による相互通信を行う。
【００２１】
次に、本実施の形態の照明器具の動作について説明する。本発明に関する動作として、照明器具が照明制御を行う動作について説明する。図３は、照明制御を行う際の親機１０１の動作を示すフローチャートである。
【００２２】
親機１０１は、アダプタモジュール１０５によって、調光指令値情報を受信する（ステップＳ１０１）。アダプタモジュール１０５は、調光指令値情報を受信すると、受信した調光指令値情報を親機点灯回路１０３に送信する。またアダプタモジュール１０５は、受信した調光指令値情報を親機通信モジュール１０６へ送信する（ステップＳ１０２）。
【００２３】
親機点灯回路１０３は、調光指令値情報を受信すると、受信した調光指令値情報に基づいて親機ＬＥＤモジュール１０２の点灯状態を制御する（ステップＳ１０３）。
【００２４】
親機通信モジュール１０６は、調光指令値情報を受信すると、受信した調光指令値情報を無線通信によって親機１０１の外部へ送信する。また親機通信モジュール１０６は、調光指令値情報と合わせて親機アドレスも、無線通信によって親機１０１の外部へ送信する（ステップＳ１０４）。
【００２５】
なお上記の動作において、ステップＳ１０３の動作とステップＳ１０４の動作とは、逆の順番で実施されてもよい。またステップＳ１０３の動作とステップＳ１０４の動作とは、同時に実施されてもよい。
【００２６】
図４は、照明制御を行う際の子機１１１の動作を示すフローチャートである。まず子機通信モジュール１１６が、親機通信モジュール１０６から調光指令値情報及び親機アドレスを、無線通信によって受信する（ステップＳ２０１）。
【００２７】
子機通信モジュール１１６は、調光指令値情報及び親機アドレスを受信すると、受信した親機アドレスが子機アドレスに一致しているか判定を行う（ステップＳ２０２）。
【００２８】
子機通信モジュール１１６は、受信した親機アドレスが子機アドレスに一致すれば、受信した調光指令値情報を子機点灯回路１１３へ送信する（ステップＳ２０３）。子機点灯回路１１３は、子機通信モジュール１１６から調光指令値情報を受信すると、受信した調光指令値情報に基づいて子機ＬＥＤモジュール１１２の点灯状態を制御する（ステップＳ２０４）。
【００２９】
子機通信モジュール１１６は、ステップＳ２０２で親機アドレスが子機アドレスに一致しないと判定した場合、受信した調光指令値情報を子機点灯回路１１３へ送信しない（ステップＳ２０５）。子機通信モジュール１１６は、受信した親機アドレスが子機アドレスに一致しない場合には、例えば受信した調光指令値情報及び親機アドレスを破棄する。
【００３０】
本実施の形態において親機点灯回路１０３と子機点灯回路１１３とは、親機アドレスと子機アドレスとが一致する場合、同一の調光指令値情報に基づいて点灯状態を制御している。親機点灯回路１０３と子機点灯回路１１３とは、親機アドレスと子機アドレスとが一致しない場合、同一の調光指令値情報に基づいて点灯状態を制御していない。
【００３１】
親機アドレスと子機アドレスとが一致する場合、親機１０１と子機１１１とは同様の点灯動作をする。親機アドレスと子機アドレスとが一致する場合、親機ＬＥＤモジュール１０２及び子機ＬＥＤモジュール１１２は、同一の調光指令値情報に基づいて制御される。
【００３２】
本例において親機ＬＥＤモジュール１０２及び子機ＬＥＤモジュール１１２は、調光指令値情報に基づいて制御される。親機ＬＥＤモジュール１０２及び子機ＬＥＤモジュール１１２は、調光指令値情報以外の制御情報に基づいて制御されるとしてもよい。制御情報は、人感センサ３００以外の装置によって生成される情報であってもよい。
【００３３】
親機ＬＥＤモジュール１０２及び子機ＬＥＤモジュール１１２は、例えば照度センサが検知する照度に基づいて、基準調光値になるように制御されてもよい。照度は制御情報の一例である。親機ＬＥＤモジュール１０２及び子機ＬＥＤモジュール１１２は、例えば日中の室内の照度が高い状況では、照度を抑えるように点灯状態が制御される。
【００３４】
制御情報を生成するための装置は、例えばタイマー機能を有する装置としてもよい。タイマー機能を有する装置は、例えば操業時間帯には親機ＬＥＤモジュール１０２及び子機ＬＥＤモジュール１１２を最大照度とする制御情報を生成する。またタイマー機能を有する装置は、例えば休業時間帯には親機ＬＥＤモジュール１０２及び子機ＬＥＤモジュール１１２を低電力で点灯させる制御情報を生成する。親機ＬＥＤモジュール１０２及び子機ＬＥＤモジュール１１２は、タイマー機能を有する装置が生成した制御情報に基づいて制御されることにより、消費電力が節約される。
【００３５】
次に本実施の形態の照明器具のアドレスの設定を変更する動作について説明する。図５は、本実施の形態においてアドレスの設定を変更する際の親機１０１の動作を示すフローチャートである。
【００３６】
まず親機通信モジュール１０６は、アドレス変更信号を受信する（ステップＳ３０１）。アドレス変更信号は、例えば外部のリモートコントローラを使用者が操作することによって送信される。
【００３７】
親機通信モジュール１０６は、アドレス変更信号を受信すると、新規アドレスを生成する（ステップＳ３０２）。親機通信モジュール１０６は、例えばランダムに新規アドレスを生成する。なお親機通信モジュール１０６は、規則的に新規アドレスを生成してもよい。
【００３８】
親機通信モジュール１０６は、新規アドレスを生成すると、生成した新規アドレスを無線通信によって外部へ送信する。また親機通信モジュール１０６は、新規アドレスと合わせて親機アドレスも、無線通信によって外部へ送信する（ステップＳ３０３）。
【００３９】
親機通信モジュール１０６は、親機アドレス及び新規アドレスを送信すると、アドレス変更通知を受信したか判定する（ステップＳ３０４）。親機通信モジュール１０６は、アドレス変更通知を受信すると、親機アドレスを新規アドレスに変更する（ステップＳ３０５）。
【００４０】
本例において親機通信モジュール１０６は、アドレス変更通知を受信しない場合、親機アドレスを変更しない（ステップＳ３０６）。親機通信モジュール１０６は、例えばステップＳ３０３で親機アドレス及び新規アドレスを送信してから一定時間経過してもアドレス変更通知を受信しない場合、新規アドレスを破棄する。親機通信モジュール１０６は、例えば新規アドレスを破棄すると、アドレスの設定を変更する動作を終了する。
【００４１】
図６は、本実施の形態においてアドレスの設定を変更する際の子機１１１の動作を示すフローチャートである。まず子機通信モジュール１１６が、親機通信モジュール１０６から送信された親機アドレス及び新規アドレスを、無線通信によって受信する（ステップＳ４０１）。
【００４２】
子機通信モジュール１１６は、親機アドレス及び新規アドレスを受信すると、受信した親機アドレスが子機アドレスに一致しているか判定を行う（ステップＳ４０２）。
【００４３】
子機通信モジュール１１６は、受信した親機アドレスが子機アドレスに一致すれば、子機アドレスを新規アドレスに変更する（ステップＳ４０３）。子機通信モジュール１１６は、子機アドレスを新規アドレスに変更すると、アドレス変更通知を親機通信モジュール１０６に送信する（ステップＳ４０４）。
【００４４】
子機通信モジュール１１６は、ステップＳ４０２で親機アドレスが子機アドレスに一致しないと判定した場合、子機アドレスを新規アドレスに変更しない（ステップＳ４０５）。子機通信モジュール１１６は、例えば受信した親機アドレス及び新規アドレスを破棄する。
【００４５】
本実施の形態の照明器具であれば、アドレス変更信号を送信するという簡易な操作によって親機アドレス及び子機アドレスを変更することができる。本例であれば、例えばソフトウェア及びパーソナルコンピュータ等の知識を十分に有していない者でも、容易に照明器具のアドレスを設定することができる。
【００４６】
また本実施の形態の照明器具は、例えば子機１１１を複数備えていてもよい。親機１０１と同一のアドレスが設定された複数の子機１１１は、親機通信モジュール１０６がアドレス変更信号を１度受信することによって、すべてが子機アドレスを変更する。子機アドレスを変更した複数の子機１１１は、アドレス変更通知を親機１０１へ送信する。親機１０１は、例えば子機アドレスを変更したすべての子機１１１からアドレス変更通知を受信すると、親機アドレスを変更する。なお親機１０１は、アドレス変更通知を１つでも受信すれば、親機アドレスを変更するとしてもよい。
【００４７】
また複数の子機１１１のうち、親機１０１と異なるアドレスが設定された子機１１１は、子機アドレスを変更しない。親機１０１と同一のアドレスが設定された子機１１１のみ、子機アドレスを変更する。親機１０１と異なるアドレスが設定された子機１１１のアドレスの設定が誤って変更されることがない。また、すべての複数の子機１１１のアドレスが親機１０１のアドレスと異なる場合、親機１０１はアドレス変更通知を受信しない。このため、親機アドレスは誤って変更されない。本例であれば、ソフトウェア及びパーソナルコンピュータ等の知識を十分に有していない者でも、アドレスの設定を適切に行うことができる。
【００４８】
本実施の形態において親機通信モジュール１０６は、図５に示すように、親機アドレス及び新規アドレスを無線通信によって送信した後、アドレス変更通知を受信した場合のみ親機アドレスを新規アドレスに変更する。これにより、子機アドレスが変更されていないにも関わらず親機アドレスが変更されてしまうことが防止される。
【００４９】
なお、親機通信モジュール１０６は、上記ステップＳ３０４の判定を行わなくてもよい。親機通信モジュール１０６は、親機アドレス及び新規アドレスを送信した後、親機アドレスを新規アドレスに変更するとしてもよい。本例において親機通信モジュール１０６は、親機アドレスを新規アドレスに変更してから一定時間経過してもアドレス変更通知を受信しない場合、設定されているアドレスを、新規アドレスから元の親機アドレスに戻すとしてもよい。
【００５０】
子機通信モジュール１１６は、例えば子機アドレスを変更すると、子機光源明滅指示を子機点灯回路１１３に送信するとしてもよい。子機点灯回路１１３は、子機光源明滅指示を受信すると、子機ＬＥＤモジュール１１２を明滅させる。これにより、子機アドレスの変更が、使用者に報知される。
【００５１】
同様に親機通信モジュール１０６は、親機アドレスを変更すると、親機光源明滅指示をアダプタモジュール１０５に送信するとしてもよい。アダプタモジュール１０５は、受信した親機光源明滅指示を、親機点灯回路１０３に送信する。親機点灯回路１０３は、親機光源明滅指示を受信すると、親機ＬＥＤモジュール１０２を明滅させる。これにより、親機アドレスの変更が、使用者に報知される。
【００５２】
本例であれば、使用者は、アドレスの設定が変更された親機１０１及び子機１１１を視覚的に判別することができる。なお照明器具は、アドレスの設定が変更されたことを使用者へ報知する手法として、光の明滅以外の手法による報知を行うとしてもよい。
【００５３】
また人感センサ３００は、アダプタモジュール１０５と一体に形成されてもよい。本例であれば、人感センサ３００が室内等に別途設けられる場合に比べて、配線の接続等の作業が容易になる。また制御情報を生成するための装置として、人感センサ３００以外の装置をアダプタモジュール１０５と一体に形成するとしてもよい。
【００５４】
本実施の形態の照明器具は、親機光源の一例として、親機ＬＥＤモジュール１０２を備える。また照明器具は、子機光源の一例として、子機ＬＥＤモジュール１１２を備える。親機光源は本実施の形態以外にも、例えば有機ＥＬを少なくとも１つ有する光源であってもよい。同様に子機光源は、有機ＥＬを少なくとも１つ有する光源であってもよい。
【００５５】
本実施の形態においてアドレス変更信号は、一例として外部のリモートコントローラを使用者が操作することによって送信される。アドレス変更信号は、上記例以外の手法によって送信されるとしてもよい。
【００５６】
親機１０１は、例えば図示しないアドレス変更用のスイッチを備えていてもよい。アドレス変更用のスイッチは、例えば親機通信モジュール１０６あるいはアダプタモジュール１０５に設けられる。使用者は、アドレス変更用のスイッチを操作することによって、アドレス変更信号を送信する。親機通信モジュール１０６は、アドレス変更用のスイッチから直接あるいはアダプタモジュール１０５を介して、アドレス変更信号を受信する。親機通信モジュール１０６は、上記実施例と同様の動作をする。
【００５７】
なお本発明の照明器具は、新規アドレスを生成するための手段として、リモコンあるいはアドレス変更用のスイッチ以外の装置を備えていてもよい。また本発明の照明器具は、例えば親機アドレス及び子機アドレスを新規アドレスに変更後に、変更前の状態に戻す手段を備えていてもよい。本発明の照明器具は、例えば親機アドレス及び子機アドレスを、設置前の初期状態のアドレスにリセットする手段を備えていてもよい。初期状態のアドレスは、例えば照明器具の出荷時に設定される。
【００５８】
実施の形態２．
次に、本発明の実施の形態２について説明する。本実施の形態の照明器具の構成は、実施の形態１と同様に、図１及び図２で示される。また本実施の形態の照明器具の動作は、実施の形態１と同様に、図３、図４、図５及び図６で示される。
【００５９】
親機通信モジュール１０６には、例えば製品出荷時に初期アドレスが親機アドレスとして設定される。子機通信モジュール１１６には、例えば製品出荷時に初期アドレスが子機アドレスとして設定される。本実施の形態においては同一の初期アドレスが、親機アドレス及び子機アドレスとして製品出荷時に初期設定される。
【００６０】
本実施の形態であれば、親機１０１及び子機１１１は、例えば使用者あるいは工事業者によるアドレスの初期設定を別途必要としない。親機１０１及び子機１１１は、設置されるだけで、同一の制御情報に基づいて点灯状態が制御される。これにより、使用者あるいは工事業者等への、アドレスの設定を行うことによる負担が軽減される。なお親機通信モジュール１０６及び子機通信モジュール１１６へのアドレスの初期設定は、本実施の形態以外にも、例えば製品出荷前あるいは製品出荷後に行われるとしてもよい。
【００６１】
また、親機通信モジュール１０６がアダプタモジュール１０５から初めて受信する情報をアドレス変更信号としてもよい。親機１０１及び子機１１１の設置が完了してから一定時間後に、アダプタモジュール１０５は、例えば人感センサ３００から調光指令値情報を初めて受信する。アダプタモジュール１０５は調光指令値情報を、親機通信モジュール１０６に初めて送信する。親機通信モジュール１０６は、調光指令値情報を初めて受信すると、調光指令値情報の受信をアドレス変更信号の受信として判断する。親機通信モジュール１０６は、アドレス変更信号を受信した場合と同様の動作をする。
【００６２】
本例であれば、親機１０１及び子機１１１の設置が完了すると、使用者がアドレス変更信号を送信しなくても、親機アドレス及び子機アドレスが自動で変更される。親機アドレス及び子機アドレスは、同一の初期アドレスから新規アドレスに自動で変更される。これにより、本実施の形態と同様の構成の照明器具が新たに周辺に設置された場合、アドレスの競合が発生しない。
【００６３】
本実施の形態の親機通信モジュール１０６は、初期アドレスと異なるアドレスを新規アドレスとして生成するとしてもよい。親機通信モジュール１０６は、例えば新規アドレスをランダムに生成する。親機通信モジュール１０６は、ランダムに生成した新規アドレスが初期アドレスと同一の場合、再び別の新規アドレスをランダムに生成する。親機通信モジュール１０６は、新規アドレスが初期アドレスと異なるアドレスとして生成されるまで、アドレスの生成を繰り返す。
【００６４】
本例であれば、初期アドレスを新規アドレスへ変更した後、本実施の形態と同様の構成の照明器具が新たに周辺に設置されても、アドレスが競合しない。なお親機通信モジュール１０６は、規則的にアドレスの生成を繰り返す等、上記以外の手法で新規アドレスを生成するとしてもよい。
【００６５】
また親機通信モジュール１０６は、製品出荷時に設定された初期アドレスを、初期アドレスから新規アドレスへの変更後も記憶し続けるとしてもよい。親機通信モジュール１０６は、記憶している初期アドレスとは異なるアドレスを新規アドレスとして生成する。本例であれば、初期アドレスが新規アドレスへ変更された後に再び別のアドレスに変更された場合でも、周辺に新たに設置された照明器具とのアドレスの競合が発生しない。
【００６６】
実施の形態３．
次に、本発明の実施の形態３について説明する。図７は、本発明の実施の形態３の照明器具を示す斜視図である。また図８は、本発明の実施の形態３の照明器具の内部構成を示す模式図である。
【００６７】
本実施の形態の照明器具は、親機１０１及び子機１１１を備える。親機１０１及び子機１１１の構成及び動作は、実施の形態１と同様のため、詳細な説明を省略する。
【００６８】
また本実施の形態の照明器具は、第２親機２０１、第２子機２１１及び第３子機２２１を備える。第２親機２０１は、第２親機ＬＥＤモジュール２０２、第２親機点灯回路２０３、第２親機制御ユニット２０４を備える。第２親機制御ユニット２０４は、第２アダプタモジュール２０５及び第２親機通信モジュール２０６を有する。第２親機２０１の構成は、親機１０１の構成と同様のため、詳細な説明を省略する。第２親機通信モジュール２０６は、親機通信モジュール１０６と無線通信による相互通信を行うことができる。
【００６９】
本例における第２親機ＬＥＤモジュール２０２は、第２親機光源の一例である。第２親機点灯回路２０３及び第２アダプタモジュール２０５は、第２親機光源制御手段の一例である。また第２親機通信モジュール２０６は、第２親機通信手段の一例である。
【００７０】
第２子機２１１は、第２子機ＬＥＤモジュール２１２、第２子機点灯回路２１３及び第２子機通信モジュール２１６を有する。第３子機２２１は、第３子機ＬＥＤモジュール２２２、第３子機点灯回路２２３及び第３子機通信モジュール２２６を有する。第２子機２１１の構成及び第３子機２２１の構成は、子機１１１の構成と同様のため、詳細な説明を省略する。
【００７１】
親機通信モジュール１０６には、親機アドレスが設定される。子機通信モジュール１１６には、子機アドレスが設定される。本実施の形態において、親機アドレスと子機アドレスとは同一のアドレスとして設定されている。親機１０１及び子機１１１は、図７及び図８に示すように、第１グループ１００を構成する。
【００７２】
親機通信モジュール１０６と子機通信モジュール１１６とは、無線通信による相互通信を行う。第１グループ１００の親機１０１と子機１１１とは、同様の点灯動作をする。親機ＬＥＤモジュール１０２及び子機ＬＥＤモジュール１１２は、同一の制御情報に基づいて点灯状態が制御される。
【００７３】
第２親機通信モジュール２０６には、第２親機アドレスが設定される。第２子機通信モジュール２１６には、第２子機アドレスが設定される。第３子機通信モジュール２２６には、第３子機アドレスが設定される。本実施の形態において、第２親機アドレスは、第１親機アドレスと異なるアドレスとして設定されている。また第２親機アドレス、第２子機アドレス及び第３子機アドレスは、同一のアドレスとして設定されている。第２親機２０１、第２子機２１１及び第３子機２２１は、図７及び図８に示すように、第２グループ２００を構成する。
【００７４】
第２親機通信モジュール２０６と第２子機通信モジュール２１６とは、無線通信による相互通信を行う。同様に、第２親機通信モジュール２０６と第３子機通信モジュール２２６とは、無線通信による相互通信を行う。第２グループ２００の第２親機２０１と第２子機２１１と第３子機２２１とは、同様の点灯動作をする。第２親機ＬＥＤモジュール２０２、第２子機ＬＥＤモジュール２１２及び第３子機ＬＥＤモジュール２２２は、同一の第２制御情報に基づいて点灯状態が制御される。
【００７５】
次に、第２グループ２００のアドレスの設定を変更する動作について説明する。図９は、本実施の形態において第２グループ２００のアドレスの設定を変更する際の第２親機２０１の動作を示すフローチャートである。
【００７６】
まず第２親機通信モジュール２０６がアドレス変更信号を受信する（ステップＳ５０１）。これにより、第２グループ２００のアドレスの設定の変更が開始される。
【００７７】
第２親機通信モジュール２０６は、アドレス変更信号を受信すると、親機通信モジュール１０６から親機アドレスを受信する（ステップＳ５０２）。第２親機通信モジュール２０６は、親機アドレスを受信すると、親機アドレスと異なるアドレスを、第２新規アドレスとして生成する（ステップＳ５０３）。
【００７８】
第２親機通信モジュール２０６は、例えばランダムに第２新規アドレスを生成する。第２親機通信モジュール２０６は、ランダムに生成した第２新規アドレスが親機アドレスと同一の場合、再び別の第２新規アドレスをランダムに生成する。第２親機通信モジュール２０６は、第２新規アドレスが親機アドレスと異なるアドレスとして生成されるまで、アドレスの生成を繰り返す。なお第２親機通信モジュール２０６は、規則的にアドレスの生成を繰り返す等、上記以外の手法で第２新規アドレスを生成するとしてもよい。
【００７９】
第２親機通信モジュール２０６は、第２新規アドレスを生成すると、生成した第２新規アドレスを無線通信によって外部へ送信する。また第２親機通信モジュール２０６は、第２新規アドレスと合わせて第２親機アドレスも、無線通信によって外部へ送信する（ステップＳ５０４）。
【００８０】
第２親機通信モジュール２０６は、第２親機アドレス及び第２新規アドレスを送信すると、アドレス変更通知を受信したか判定する（ステップＳ５０５）。第２親機通信モジュール２０６は、アドレス変更通知を受信すると、第２親機アドレスを第２新規アドレスに変更する（ステップＳ５０６）。
【００８１】
第２親機通信モジュール２０６は、アドレス変更通知を受信しない場合、親機アドレスを変更しない（ステップＳ５０７）。第２親機通信モジュール２０６は、例えばステップＳ５０４で第２親機アドレス及び第２新規アドレスを送信してから一定時間経過してもアドレス変更通知を受信しない場合、第２新規アドレスを破棄する。第２親機通信モジュール２０６は、例えば第２新規アドレスを破棄すると、アドレスの設定を変更する動作を終了する。
【００８２】
第２グループ２００のアドレスの設定を変更する際、子機１１１は、実施の形態１の図６で示す動作と同様の動作をする。また第２子機２１１及び第３子機２２１は、子機１１１と同様の動作をする。子機１１１、第２子機２１１、第３子機２２１の動作についての詳細な説明を省略する。
【００８３】
子機通信モジュール１１６は、第２親機アドレス及び第２新規アドレスを受信する。第２親機アドレスは子機アドレスと異なる。このため、子機アドレスは変更されない。また第２子機通信モジュール２１６及び第３子機通信モジュール２２６は、第２親機アドレス及び第２新規アドレスを受信する。第２子機アドレス及び第３子機アドレスは、第２親機アドレスに一致する。第２親機アドレス、第２子機アドレス及び第３子機アドレスは、第２新規アドレスに変更される。
【００８４】
上記実施例であれば、第２グループ２００のアドレスの設定を変更する際に、第２グループ２００のアドレスの設定のみが適切に変更される。第１グループ１００のアドレスの設定が誤って変更されることがない。また第２子機アドレス及び第３子機アドレスは、親機アドレスと異なる第２新規アドレスに変更される。これにより、第２グループ２００のアドレスの設定の変更後に、第１グループ１００と第２グループ２００との間でアドレスの競合が発生しない。
【００８５】
また第１グループ１００のアドレスの設定を変更する際には、親機通信モジュール１０６が第２親機通信モジュール２０６から第２親機アドレスを受信するとしてもよい。親機通信モジュール１０６は、第２親機アドレスと異なるアドレスを新規アドレスとして生成する。第１グループ１００の親機アドレス及び子機アドレスは、第２親機アドレスと異なる新規アドレスに変更される。これにより、第１グループ１００のアドレスの設定の変更後に、第１グループ１００と第２グループ２００との間でアドレスの競合が発生しない。
【００８６】
なお、第２親機通信モジュール２０６は、上記ステップＳ５０５の判定を行わなくてもよい。第２親機通信モジュール２０６は、第２親機アドレス及び第２新規アドレスを送信した後、第２親機アドレスを第２新規アドレスに変更するとしてもよい。本例において第２親機通信モジュール２０６は、第２親機アドレスを第２新規アドレスに変更してから一定時間経過してもアドレス変更通知を受信しない場合、設定されているアドレスを、第２新規アドレスから元の第２親機アドレスに戻すとしてもよい。
【００８７】
実施の形態４．
次に、本発明の実施の形態４について説明する。本実施の形態の照明器具の構成は、実施の形態３と同様に、図７及び図８で示される。照明器具の構成は、実施の形態３と同様のため、詳細な説明を省略する。
【００８８】
本実施の形態においては、実施の形態２と同様に、同一の初期アドレスが、親機アドレス、第２親機アドレス、子機アドレス、第２子機アドレス及び第３子機アドレスとして製品出荷時に初期設定される。本実施の形態では、照明器具の設置手順について説明する。
【００８９】
まず親機１０１及び子機１１１が設置される。親機アドレス及び子機アドレスは、同一の初期アドレスである。親機１０１及び子機１１１は、設置者によるアドレスの初期設定を必要としない。親機１０１及び子機１１１は、設置されるだけで、同様の点灯動作をする。親機１０１及び子機１１１は、第１グループ１００を構成する。
【００９０】
設置者は、第１グループ１００の設置をした後、第１グループ１００のアドレスの設定を変更する。第１グループ１００のアドレスの設定の変更は、実施の形態１及び実施の形態２と同様に実行される。第１グループ１００のアドレスの設定の変更についての詳細な説明を省略する。親機アドレス及び子機アドレスが、初期アドレスから新規アドレスに変更される。
【００９１】
設置者は、第１グループ１００のアドレスの設定を変更した後に、第２親機２０１、第２子機２１１及び第３子機２２１を設置する。第２親機アドレス、第２子機アドレス及び第３子機アドレスは、同一の初期アドレスである。第２親機２０１及び第２子機２１１及び第３子機２２１は、設置者によるアドレスの初期設定を必要としない。第２親機２０１及び第２子機２１１及び第３子機２２１は、設置されるだけで、同様の点灯動作をする。第２親機２０１、第２子機２１１及び第３子機２２１は、第２グループ２００を構成する。
【００９２】
第１グループ１００の親機アドレス及び子機アドレスは、第２グループ２００の設置前に初期アドレスから新規アドレスに変更されている。これにより、第２グループ２００を設置時における、第１グループ１００と第２グループ２００との間でのアドレスの競合が防止される。
【００９３】
また設置者は、第２グループ２００の設置後に、第２グループ２００のアドレスの設定を変更してもよい。これにより、第１グループ１００及び第２グループ２００と同様の構成の照明器具が新たに周辺に設置された場合におけるアドレスの競合が防止される。また第２グループ２００のアドレスの設定の変更は、例えば実施の形態３の図９に示す手法と同様に実施される。これにより、アドレスの競合が発生しなくなる。
【００９４】
実施の形態５
次に、本発明の実施の形態５について説明する。本実施の形態の照明器具の構成は、実施の形態４と同様に、図７及び図８で示される。同一の初期アドレスが、親機アドレス、第２親機アドレス、子機アドレス、第２子機アドレス及び第３子機アドレスとして製品出荷時に初期設定される。本実施の形態では、親機１０１、子機１１１、第２親機２０１、第２子機２１１及び第３子機２２１を同時に設置する場合について説明する。
【００９５】
本実施の形態において、子機点灯回路１１３は、子機ＬＥＤモジュール１１２の点灯状態を示す情報を子機通信モジュール１１６へ送信する。子機通信モジュール１１６は、子機ＬＥＤモジュール１１２の点灯状態を監視する。同様に、第２子機通信モジュール２１６は、第２子機ＬＥＤモジュール２１２の点灯状態を監視する。また第３子機通信モジュール２２６は、第３子機ＬＥＤモジュール２２２の点灯状態を監視する。
【００９６】
本実施の形態において子機通信モジュール１１６は、親機アドレス及び新規アドレスを受信すると、親機アドレスが子機アドレスに一致してかつ子機ＬＥＤモジュール１１２が点灯している場合のみ、子機アドレスを新規アドレスに変更する。
【００９７】
また子機通信モジュール１１６は、第２親機アドレス及び第２新規アドレスを受信すると、第２親機アドレスが子機アドレスに一致してかつ子機ＬＥＤモジュール１１２が点灯している場合のみ、子機アドレスを新規アドレスに変更する。第２子機通信モジュール２１６及び第３子機通信モジュール２２６は、子機通信モジュール１１６と同様の動作をする。
【００９８】
本実施の形態では、例えば親機１０１、子機１１１、第２親機２０１、第２子機２１１及び第３子機２２１を同時に設置した後、第２子機ＬＥＤモジュール２１２を点灯しない状態にしておく。第２子機ＬＥＤモジュール２１２を点灯しない状態にする方法には、一例として第２子機ＬＥＤモジュール２１２あるいは第２子機点灯回路２１３の電源を切る等の方法が含まれる。同様に、第３子機ＬＥＤモジュール２２２を点灯しない状態にしておく。
【００９９】
第２子機ＬＥＤモジュール２１２及び第３子機ＬＥＤモジュール２２２が点灯しない状態で、実施の形態４と同様に第１グループ１００のアドレスの設定を変更する動作を実施する。子機ＬＥＤモジュール１１２は点灯しているため、子機アドレスが新規アドレスに変更される。
【０１００】
第２子機ＬＥＤモジュール２１２及び第３子機ＬＥＤモジュール２２２は点灯しない。このため、第２子機アドレス及び第３子機アドレスは親機アドレスと一致していても、新規アドレスには変更されない。
【０１０１】
本実施の形態であれば、親機１０１、子機１１１、第２親機２０１、第２子機２１１及び第３子機２２１を同時に設置した場合において、第１グループ１００と第２グループ２００とを正常にグループ分けすることができる。
【０１０２】
上記実施例では、第２子機ＬＥＤモジュール２１２及び第３子機ＬＥＤモジュールを点灯しない状態にして、第１グループ１００のアドレスの設定の変更を行う例を示した。同様にして、子機ＬＥＤモジュール１１２を点灯しない状態にして、第２グループ２００のアドレスの設定の変更を行うとしてもよい。
【符号の説明】
【０１０３】
１００  第１グループ、  １０１  親機、  １０２  親機ＬＥＤモジュール、  １０３  親機点灯回路、  １０４  親機制御ユニット、  １０５  アダプタモジュール、  １０６  親機通信モジュール、  １１１  子機、  １１２  子機ＬＥＤモジュール、  １１３  子機点灯回路、  １１６  子機通信モジュール、  ２００  第２グループ  ２０１  第２親機、  ２０２  第２親機ＬＥＤモジュール、  ２０３  第２親機点灯回路、  ２０４  第２親機制御ユニット、  ２０５  第２アダプタモジュール、  ２０６  第２親機通信モジュール、  ２１１  第２子機、  ２１２  第２子機ＬＥＤモジュール、  ２１３  第２子機点灯回路、  ２１６  第２子機通信モジュール、  ２２１  第３子機、  ２２２  第３子機ＬＥＤモジュール、  ２２３  第３子機点灯回路、  ２２６  第３子機通信モジュール、  ３００  人感センサ
【図１】
0006623609.tif 000002
【図２】
0006623609.tif 000003
【図３】
0006623609.tif 000004
【図４】
0006623609.tif 000005
【図５】
0006623609.tif 000006
【図６】
0006623609.tif 000007
【図７】
0006623609.tif 000008
【図８】
0006623609.tif 000009
【図９】
0006623609.tif 000010